(57)【特許請求の範囲】
【請求項１】
後端部には、電線の端末部に圧着接続される電線圧着部が形成され、
この電線圧着部の前方には、底壁の側縁から左右一対の側壁を立ち上げた形態をなす連絡部が形成され、
前記連絡部の前方には、前記連絡部に隣接して配されるとともに底壁同士及び側壁同士を前記連絡部と連続させた形態の角筒部が形成され、
前記角筒部の前方には端子機能部が形成され、
前記連絡部における前記側壁の前記底壁からの立ち上がり高さを前記角筒部における側壁の底壁からの立ち上がり高さよりも低くすることで、前記角筒部の上面壁の後端縁に、コネクタハウジングの端子挿入空間に設けた端子抜止め用のランスの突起を後方から係止させるようにした端子金具において、
前記連絡部には、前記左右両側壁の立ち上がり端縁から内側下向きに折り返されて前記側壁の内面にほぼ密着する形態とされた補強部が設けられ、
前記補強部によって前記側壁が二枚重ね状態となっていることを特徴とする端子金具。
【発明の詳細な説明】
【０００１】
【発明の属する技術分野】
本発明は、端子金具に関するものである。
【０００２】
【従来の技術】
従来、端子金具として、特開平１０−４０９９４号公報に開示されているものがある。これは、前端部に角筒状をなす端子接続部を形成するとともに、後端部に電線圧着部を形成し、さらに端子接続部と電線圧着部との間を連絡部で繋いだ形態とされている。
【０００３】
【発明が解決しようとする課題】
上記端子金具では、端子接続部は角筒状をなすため強度が強く、電線圧着部も電線に対し包み込むようにカシメ付けられるので強度が強い。ところが、連絡部は、底壁の左右両側縁から側壁を立ち上げた形態であるため、端子接続部や電線圧着部に比べると強度が低い。
【０００４】
このように、従来の端子金具には、その長さ方向において部分的に強度の弱い箇所が存在するため、端子金具に曲げ力が作用したときにはは、その部分的に強度の弱い箇所において曲げ変形が生じ易いという問題がある。
本願発明は上記事情に鑑みて創案され、部分的に強度の低い箇所が存在しないようにすることを目的としている。
【０００５】
【課題を解決するための手段】
請求項１の発明は、後端部には、電線の端末部に圧着接続される電線圧着部が形成され、この電線圧着部の前方には、底壁の側縁から左右一対の側壁を立ち上げた形態をなす連絡部が形成され、前記連絡部の前方には、前記連絡部に隣接して配されるとともに底壁同士及び側壁同士を前記連絡部と連続させた形態の角筒部が形成され、前記角筒部の前方には端子機能部が形成され、前記連絡部における前記側壁の前記底壁からの立ち上がり高さを前記角筒部における側壁の底壁からの立ち上がり高さよりも低くすることで、前記角筒部の上面壁の後端縁に、コネクタハウジングの端子挿入空間に設けた端子抜止め用のランスの突起を後方から係止させるようにした端子金具において、前記連絡部には、前記左右両側壁の立ち上がり端縁から内側下向きに折り返されて前記側壁の内面にほぼ密着する形態とされた補強部が設けられ、前記補強部によって前記側壁が二枚重ね状態となっている構成とした。
【０００８】
【発明の作用及び効果】
［請求項１の発明］
連絡部の形状は、底壁から側壁を立ち上げただけなので、電線圧着部や端子機能部に比べると強度が低い、ということが懸念される。しかし、本発明では、連絡部に補強部を設けることで、連絡部の強度を電線圧着部や端子機能部と同程度に向上させることができる。尚、前端側の端子機能部としては、雄端子金具における細長いタブと称される端子接続部、雌端子金具における角筒状の端子接続部、ジョイント端子金具における他の端子金具とのジョイント部等がある。
また、補強部は、連絡部の側壁の立ち上がり端縁から下方へ延出するように形成されているので、連絡部及び補強部の上方にはランスの突起を配するための空間が確保される。したがって、補強部を形成したことに起因してランスによる抜止め機能が損なわれることはない。
また、補強部を形成したことにより、側壁は二枚重ね状態とになるので、高い強度を確保することができる。
【００１１】
【発明の実施の形態】
［参考例１］
以下、本発明の参考例１を図１乃至図４を参照して説明する。
【００１２】
本参考例１の端子金具１０は、いわゆる雄端子金具と称されるものであって、所定の形状に打ち抜いた金属板材に曲げ加工を施して成形されており、前端部から順に、タブ１１（本発明の構成要件である端子機能部）、角筒部１４、連絡部２０、電線圧着部２５が形成されている。尚、以下の説明において、左右方向については、図１における上側を右側ということにする。
タブ１１は、下面壁１２の左右両側縁部１３を前後方向の折り目に沿って上方内側へ左右対称に折り返し、その折り返し端面同士を接近させた付き合わせた二枚重ね状をなし、前後方向に細長く延びている。
【００１３】
タブ１１の後端に連成された角筒部１４は、タブ１１の下面壁１２に連なる底壁１５の左右両側縁から一対の側壁１６を直角に立ち上げるとともに、その両側壁１６の立ち上がり端縁（上端縁）から内側へ上面壁１７を延出させることにより、全体として角筒状をなすものである。
この角筒部１４における部分的に二枚重ね状になった上面壁１７の後端縁は、コネクタハウジングＡの端子収容室Ｂ内に後方から挿入した端子金具１０を抜け止めする機能を発揮する係止部１８とされている。即ち、端子収容室Ｂの上壁面に沿って形成されたランスＣの突起Ｃａが、係止部１８に対して後方から係止することにより、端子金具１０が後方への遊動（後方への抜け）を規制された状態に保持されるのである。
【００１４】
このように端子金具１０をランスＣによって抜止めするためには、角筒部１４の後方にランスＣの突起Ｃａを配置するための空間を確保する必要がある。そこで、角筒部１４の後方に連続して形成された連絡部２０は、次のような形態に形成されている。連絡部２０は、角筒部１４の底壁１５に対して面一状に連続する底壁２１と、同じく角筒部１４の左右両側壁１６に対して面一状に連続する左右一対の側壁２２Ｌ，２２Ｒとからなり、底壁２１の左右両側縁から両側壁２２Ｌ，２２Ｒが左右対称に且つ直角上向きに立ち上がった形態となっている。そして、この連絡部２０における側壁２２Ｌ，２２Ｒの底壁２１からの立ち上がり高さは、角筒部１４における側壁１６の底壁１５からの立ち上がり高さよりも低く設定され、その高さの寸法差は、係止部１８に係止された状態の突起Ｃａが、連絡部２０の側壁２２Ｌ，２２Ｒと干渉しないような寸法に設定されている。更に、詳しくは、連絡部２０に形成された補強部２３と突起Ｃａが干渉しないような寸法に設定されている。
【００１５】
このように電線圧着部２５と角筒部１４（タブ１１）との間に配された連絡部２０には、その側壁２２Ｒの曲げ変形を規制可能な補強部２３が形成されている。補強部２３は、底壁２１から立ち上がる左右一対の側壁２２Ｌ，２２Ｒのうち右側の側壁２２Ｒの立ち上がり端縁（上端縁）から内側に向かって（右側に向かって）水平方向、即ち側壁２２Ｒに対して直角な方向に延出する板状をなす。かかる補強部２３の延出端縁は、左側の側壁２２Ｌの上端縁に対して上から当接している。また、左右方向における補強部２３の延出端面は、左側の側壁２２Ｌの外面に対して面一状となっている。さらに、補強部２３の上面の高さについては、端子金具１０がランスＣにより抜止めされている状態において、ランスＣの突起Ｃａと補強部２３とが干渉しないような高さに設定されている。
【００１６】
連絡部２０の後端に連成された電線圧着部２５は、連絡部２０の底壁２１に連なる底壁２６の左右両側縁から一対のカシメ部２７Ｆ，２７Ｒを立ち上げた形態であり、略前半部分がワイヤバレル２５Ｆとされ、略後半部分がインシュレーションバレル２５Ｒとされている。ワイヤバレル２５Ｆは、電線Ｗの端末部おける絶縁被覆Ｗａを剥いて露出させた芯線Ｗｂに対し、カシメ部２７Ｆを巻き付けるように（カシメ部２７Ｆで包み込むように）して圧着され、インシュレーションバレル２５Ｒは、電線Ｗの絶縁被覆Ｗａで覆われている部分に対し、カシメ部２７Ｒを巻き付けるように（カシメ部２７Ｆで包み込むように）して圧着され、これにより、電線圧着部２５が電線Ｗに対して強固に接続されている。
【００１７】
上記構成になる本参考例１では、連絡部２０の形状が、底壁２１から一対の側壁２２Ｌ，２２Ｒを立ち上げただけなので、電線Ｗに対して巻き付くように強固に圧着される電線圧着部２５や、底壁１５と側壁１６と上面壁１７とによって閉じた筒形をなしている角筒部１４や、二枚重ねのタブ１１に比べると相対的に強度が低くて曲げ変形を生じ易い、ということが懸念される。しかし、本参考例１では、連絡部２０に補強部２３を設けることで、連絡部２０は、補強部２３と協動することによって角筒を構成するようになったので、その連絡部２０の強度は電線圧着部２５、角筒部１４及びタブ１１と同程度に向上している。したがって、本参考例１の端子金具１０には、その長さ方向（前後方向）において部分的に強度の低い個所がない。
【００１８】
また、補強部２３は、連絡部２０の側壁２２Ｒの立ち上がり端縁から側方へ延出する形態に形成されているので、連絡部２０及び補強部２３の上方にはランスＣの突起Ｃａを配するための空間が確保されている。したがって、補強部２３と突起Ｃａとの干渉に起因してランスＣによる抜止め機能が損なわれる、ということはない。
また、補強部２３は、側壁２２Ｒの立ち上がり端縁から延出する板状部材であるから、側壁２２Ｒの立ち上がり端縁において曲げ加工するだけで済んでいる。したがって、底壁２１や側壁２２Ｌ，２２Ｒの一部に叩き出し加工や切り起こし加工を施して補強部２３を形成する場合に比べると、加工が簡単である。
【００１９】
［参考例２］
次に、本発明の参考例２を図５を参照して説明する。
本参考例２の補強部３０は、右側の側壁２２Ｒの立ち上がり端縁から水平内側へ延出させた第１板部３１と、この第１板部３１の延出端からさらに下方へ延出する第２板部３２とからなる。かかる第２板部３２は左側の側壁２２Ｌの内面とに重なるように配されている。さらに、左側の側壁２２Ｌの立ち上がり端縁からは、突起部３３が上向きに突成されている。この突起部３３の側壁２２Ｌからの高さは、第１板部３１の板厚とほぼ同じ寸法とされ、これにより、第１板部３１の上面と突起部３３の上端面とが同じ高さで面一状に連続している。その他の構成については上記参考例１と同じであるため、同じ構成については、同一符号を付し、構造、作用及び効果の説明は省略する。
【００２０】
かかる本参考例２の補強部３０は、側壁２２Ｒの立ち上がり端縁から延出する板状部材であるから、側壁２２Ｒの立ち上がり端縁において曲げ加工するだけで済み、底壁２１や側壁２２Ｌ，２２Ｒの一部に叩き出し加工や切り起こし加工を施して補強部を形成する場合に比べて、加工が簡単である。また、補強部３０を形成したことによって、連絡部２０は角筒状をなすようになるので、高い強度を確保することができる。さらに、補強部３０を形成したことにより、左側の側壁２２Ｌは二枚重ね状態とになるので、これによっても強度の向上が図られている。
【００２１】
［参考例３］
次に、本発明の参考例３を図６を参照して説明する。
本参考例３の補強部３４は、左右両側壁２２Ｌ，２２Ｒの立ち上がり端縁から内側に突出するように左右対称に一対形成されている。かかる補強部３４の側壁２２Ｌ，２２Ｒからの突出寸法は、側壁２２Ｌ，２２Ｒの板厚とほぼ同じ寸法とされている。かかる補強部３４を形成したことにより、左右両側壁２２Ｌ，２２Ｒの曲げに抗する強度が高められている。
【００２２】
［実施形態１］
次に、本発明を具体化した実施形態１を図７を参照して説明する。
本実施形態１の補強部３５は、左右両側壁２２Ｌ，２２Ｒの立ち上がり端縁から内側下向きに折り返した形態であり、その折り返し状の補強部３５は側壁２２Ｌ，２２Ｒの内面にほぼ密着する形態となっている。本実施形態１の補強部３５によれば、両側壁２２Ｌ，２２Ｒが二枚重ね状態となるので、側壁２２Ｌ，２２１Ｒの曲げに抗する強度が高められている。
【００２３】
［参考例４］
次に、本発明の参考例４を図８を参照して説明する。
本参考例４の補強部は、右側の側壁２２Ｒの立ち上がり端縁から内側下向きに折り返されるように延出する第１補強部３７と、この第１補強部３７の延出端縁（下端縁）から左側へ水平に延出する第２補強部３８と、この第２補強部３８の延出端縁から上方へ立ち上がるように延出する第３補強部３９と、左側壁２２Ｌの立ち上がり端縁から上方へ突出する第４補強部４０とからなる。第１〜第３補強部３７〜３９はすべて板状をなし、第１補強部３７は右側の側壁２２Ｒの内面にほぼ密着し、第２補強部３８は底壁２１の内面（上面）にほぼ密着し、第３補強部３９は左側の側壁２２Ｌ及び第４補強部４０の内面にほぼ密着している。本実施形態５の補強部３６によれば、底壁２１と左右両側壁２２Ｌ，２２Ｒがいずれも二枚重ね状態となるので、底壁２１及び側壁２２Ｌ，２２１Ｒの曲げに抗する強度が高められている。
【００２４】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００２５】
（１）上記実施形態では雄端子金具に適用した例について説明したが、本発明は、雌端子金具やジョイントターミナルなどの他の形態の端子金具にも適用することができる。
【図面の簡単な説明】
【図１】  参考例１の端子金具の平面図
【図２】  端子金具に電線を圧着した状態の側面図
【図３】  端子金具の側面図
【図４】  連絡部を前方から見た状態を示す断面図
【図５】  参考例２の連絡部を前方から見た状態を示す断面図
【図６】  参考例３の連絡部を前方から見た状態を示す断面図
【図７】  実施形態１の連絡部を前方から見た状態を示す断面図
【図８】  参考例４の連絡部を前方から見た状態を示す断面図
【図１】
0003750517.tif 000002
【図２】
0003750517.tif 000003
【図３】
0003750517.tif 000004
【図４】
0003750517.tif 000005
【図５】
0003750517.tif 000006
【図６】
0003750517.tif 000007
【図７】
0003750517.tif 000008
【図８】
0003750517.tif 000009